(57)【特許請求の範囲】
【請求項１】
収納部と；
前記収納部の一方の端面に設けられた発光モジュールと；
前記収納部の内部であって、前記発光モジュールに設けられた基板と対峙する位置に設けられた冷却部と；
前記収納部の内部に設けられ、導電性と弾性を有し、外部電源と電気的に接続された接続部と；
を具備し、
前記発光モジュールは、
板状を呈する基板と；
前記基板の一方の主面に設けられ、ピーク波長が１８０ｎｍ以上４５０ｎｍ以下の光を放射する発光素子と；
導電性を有し、前記基板の前記発光素子が設けられる側とは反対側に突出し、前記発光素子と電気的に接続された給電端子と；
を具備し、
前記給電端子は、前記給電端子の先端に設けられた挿入部と、前記挿入部の前記基板側に設けられた凹部と、を有し、
前記凹部の軸方向に直交する方向における断面寸法は、前記挿入部の軸方向に直交する方向における断面寸法よりも短く、
前記挿入部の前記凹部側の端部は、前記凹部の軸方向に略直交する面となっており、
前記給電端子は、前記収納部の内部に突出し、
前記接続部は、
前記収納部の一方の端面から離れるに従い前記給電端子に近づく方向に傾斜する基部と、
前記基部の前記収納部側とは反対側の端部に設けられ、前記給電端子に設けられた挿入部の凹部側の端部に接触する保持部と、を有し、
前記接続部は、弾性力を利用して、前記給電端子の挿入部を保持するとともに、前記発光モジュールを前記冷却部側に押し付ける照明装置。
【請求項２】
前記挿入部の前記凹部側とは反対側の端部は、半球状またはテーパ状となっている請求項１記載の照明装置。
【請求項３】
前記挿入部は、円板状または円錐台状となっている請求項１記載の照明装置。
【請求項４】
前記挿入部の前記凹部側とは反対側の端部に設けられた突出部をさらに備えた請求項３記載の照明装置。
【発明の詳細な説明】
【技術分野】
【０００１】
本発明の実施形態は、照明装置に関する。
【背景技術】
【０００２】
紫外線硬化性を有する接着剤、塗料、インク、レジスト、フィルム、樹脂などを硬化させる際に、紫外線を照射する照明装置が用いられている。  
この様な照明装置には、紫外線蛍光体を用いた紫外線蛍光ランプ（Ultraviolet Fluorescent Lamp）、高圧ランプ（例えば、メタルハライドランプ、水銀ランプなど）、超高圧水銀ランプなどが用いられていた。  
近年においては、省電力化や長寿命化などの観点から、紫外線を放射する発光ダイオードが用いられるようになってきている。  
ここで、発光ダイオードの温度が高くなると、発光ダイオードの寿命が短くなる。また、発光ダイオードは、温度依存性を有し、温度により放射される光の強度が変化する。  
そのため、発光ダイオードを用いる照明装置には、発光ダイオードの温度が高くならないように放熱フィンなどの冷却装置が設けられる場合がある。  
この場合、発光ダイオードの放熱性を高めるためには、発光ダイオードを有するモジュールと、冷却装置または冷却装置が設けられた照明装置の本体との密着性を高める必要がある。  
そこで、発光ダイオードを有するモジュールを冷却装置に固定した照明装置が提案されている。  
しかしながら、発光ダイオードを有するモジュールを冷却装置に固定すると、発光ダイオードを有するモジュールの着脱が困難となるので、メンテナンス性が悪くなる。  
そのため、密着性および着脱性の向上を図ることができる技術の開発が望まれていた。
【先行技術文献】
【特許文献】
【０００３】
【特許文献１】特開２００７−３３５５６１号公報
【発明の概要】
【発明が解決しようとする課題】
【０００４】
本発明が解決しようとする課題は、密着性および着脱性の向上を図ることができる照明装置を提供することである。
【課題を解決するための手段】
【０００５】
実施形態に係る照明装置は、収納部と；前記収納部の一方の端面に設けられた発光モジュールと；前記収納部の内部であって、前記発光モジュールに設けられた基板と対峙する位置に設けられた冷却部と；前記収納部の内部に設けられ、導電性と弾性を有し、外部電源と電気的に接続された接続部と；を具備している。前記発光モジュールは、板状を呈する基板と；前記基板の一方の主面に設けられ、ピーク波長が１８０ｎｍ以上４５０ｎｍ以下の光を放射する発光素子と；導電性を有し、前記基板の前記発光素子が設けられる側とは反対側に突出し、前記発光素子と電気的に接続された給電端子と；を具備している。前記給電端子は、前記給電端子の先端に設けられた挿入部と、前記挿入部の前記基板側に設けられた凹部と、を有している。前記凹部の軸方向に直交する方向における断面寸法は、前記挿入部の軸方向に直交する方向における断面寸法よりも短い。前記挿入部の前記凹部側の端部は、前記凹部の軸方向に略直交する面となっている。前記給電端子は、前記収納部の内部に突出している。前記接続部は、前記収納部の一方の端面から離れるに従い前記給電端子に近づく方向に傾斜する基部と、前記基部の前記収納部側とは反対側の端部に設けられ、前記給電端子に設けられた挿入部の凹部側の端部に接触する保持部と、を有している。前記接続部は、弾性力を利用して、前記給電端子の挿入部を保持するとともに、前記発光モジュールを前記冷却部側に押し付ける。
【発明の効果】
【０００６】
本発明の実施形態によれば、密着性および着脱性の向上を図ることができる照明装置を提供することができる。
【図面の簡単な説明】
【０００７】
【図１】本実施の形態に係る発光モジュール１および照明装置１００を例示するための模式図である。
【図２】発光モジュール１の模式平面図である。
【図３】（ａ）〜（ｃ）は、給電端子５と接続部１０５を例示するための模式図である。
【図４】（ａ）〜（ｃ）は、他の実施形態に係る接続部１１５を例示するための模式図である。
【図５】（ａ）、（ｂ）は、他の実施形態に係る給電端子１５を例示するための模式図である。
【図６】（ａ）、（ｂ）は、他の実施形態に係る給電端子２５を例示するための模式図である。
【図７】（ａ）、（ｂ）は、他の実施形態に係る給電端子３５を例示するための模式図である。
【図８】（ａ）、（ｂ）は、他の実施形態に係る給電端子４５を例示するための模式図である。
【図９】は、給電端子３５と接続部１２５を例示するための模式図である。
【図１０】（ａ）、（ｂ）は、他の実施形態に係る発光モジュール１１を例示するための模式図である。
【図１１】（ａ）、（ｂ）は、保持具１２０を例示するための模式図である。
【発明を実施するための形態】
【００１１】
以下、図面を参照しつつ、実施の形態について例示をする。なお、各図面中、同様の構成要素には同一の符号を付して詳細な説明は適宜省略する。  
図１は、本実施の形態に係る発光モジュール１および照明装置１００を例示するための模式図である。  
図２は、発光モジュール１の模式平面図である。図２は、図１におけるＡ−Ａ線矢視図である。
【００１２】
図１に示すように、照明装置１００には、発光モジュール１、収納部１０１、冷却部１０２、コネクタ１０３、コネクタ１０４、および接続部１０５が設けられている。
【００１３】
発光モジュール１には、基板２、発光素子３、ソケット４、および給電端子５が設けられている。  
基板２は、板状を呈している。基板２の一方の主面には、配線パターンが設けられている。  
基板２の材料や構造には特に限定はない。例えば、基板２は、酸化アルミニウムや窒化アルミニウムなどの無機材料（セラミックス）、紙フェノールやガラスエポキシなどの有機材料などから形成することができる。また、基板２は、金属板の表面を絶縁体で被覆したものであってもよい。なお、金属板の表面を絶縁体で被覆する場合には、絶縁体は、有機材料からなるものであってもよいし、無機材料からなるものであってもよい。
【００１４】
発光素子３の発熱量が多い場合には、放熱性の観点から熱伝導率の高い材料を用いて基板２を形成することが好ましい。熱伝導率の高い材料としては、例えば、酸化アルミニウムや窒化アルミニウムなどのセラミックス、高熱伝導性樹脂、金属板の表面を絶縁体で被覆したものなどを例示することができる。  
なお、高熱伝導性樹脂は、例えば、ＰＥＴ（polyethylene terephthalate）やナイロン等の樹脂に、熱伝導率の高い酸化アルミニウム等の繊維や粒子を混合させたものである。  また、基板２は、単層であってもよいし、多層であってもよい。
【００１５】
発光素子３は、基板２の一方の主面に設けられている。  
発光素子３は、例えば、ＣＯＢ（Chip on Board）方式を用いて、基板２の表面に設けられた配線パターンの上に実装することができる。  
また、発光素子３は、外囲器に設けられたリードに電気的に接続され、リードを介して配線パターンの上に実装することができる。例えば、発光素子３は、ＰＬＣＣ（Plastic Leaded Chip Carrier）型のパッケージに内蔵されたものとすることができる。  
また、発光素子３は、例えば、砲弾型の発光ダイオードなどであってもよい。
【００１６】
発光素子３は、例えば、発光ダイオードとすることができる。  
この場合、発光素子３は、ピーク波長が１８０ｎｍ以上４５０ｎｍ以下の光を放射するものとすることができる。
【００１７】
発光素子３は、複数設けられている。  
この場合、図２に示すように、複数の発光素子３は、マトリクス状に並べて設けることができる。複数の発光素子３を並べて設ける場合には、複数の発光素子３を等ピッチ間隔で並べることもできるし、複数の発光素子３を異なるピッチ寸法で並べることもできる。  なお、複数の発光素子３の配設形態は、例示をしたものに限定されるわけではなく、照明装置１の用途などに応じて適宜変更することができる。  
また、発光素子３の数や大きさなどは、例示をしたものに限定されるわけではなく、照明装置１の大きさや用途などに応じて適宜変更することができる。
【００１８】
ソケット４は、基板２の両側の端部のそれぞれに設けられている。  
ソケット４の一方の端面４ａと、基板２の発光素子３が設けられた主面との間の寸法は、発光素子３の厚み寸法よりも長くすることができる。  
この様にすれば、外部の部材などが発光素子３に接触するのを抑制することができる。  ソケット４の他方の端面４ｂは、基板２の発光素子３が設けられた側とは反対側の主面と面一、または、僅かに端面４ａ側に位置している。  
この様にすれば、発光モジュール１を収納部１０１に取り付けた際に、基板２と収納部１０１側との間に隙間が生じるのを抑制することができる。そのため、発光素子３において発生した熱を収納部１０１側に効率よく放熱させることができる。  
なお、基板２と収納部１０１との間にグリースを塗布し、放熱性をさらに向上させるようにしてもよい。
【００１９】
ソケット４は、給電端子５を保持する。  
そのため、ソケット４は、樹脂などの絶縁性材料から形成されている。  
この場合、放熱性を考慮して、ソケット４の材料は、熱伝導率の高い材料とすることが好ましい。絶縁性を有し、熱伝導率の高い材料は、例えば、酸化アルミニウムや窒化アルミニウムなどのセラミックス、高熱伝導性樹脂などとすることができる。
【００２０】
給電端子５は、２つのソケット４のそれぞれに設けられている。  
給電端子５は、ピン状を呈し、一方の端部側がソケット４の端面４ｂから突出している。給電端子５の他方の端部側は、ソケット４の内部に設けられている。  
給電端子５の他方の端部側は、基板２に設けられた配線パターンと電気的に接続されている。  
すなわち、給電端子５は、基板２の発光素子３が設けられる側とは反対側に突出し、発光素子３と電気的に接続されている。  
この場合、給電端子５は、配線パターンと直接接続されてもよいし、配線部材を介して配線パターンと接続されてもよい。  
給電端子５は、配線パターンを介して発光素子３と接続部１０５とを電気的に接続する。そのため、給電端子５は、導電性を有している。  
なお、給電端子５と接続部１０５の接続に関する詳細は後述する。
【００２１】
収納部１０１は、箱状を呈し、一方の端面には発光モジュール１が取り付けられる。  
冷却部１０２は、収納部１０１の内部に設けられている。  
冷却部１０２は、発光モジュール１の基板２と対峙する位置に設けられている。  
この場合、収納部１０１の端面に孔部を設け、冷却部１０２と、発光モジュール１の基板２とが直接接触するようにしてもよい。  
収納部１０１の内部には、接続部１０５とコネクタ１０３とを電気的に接続する配線部材１１０を設けることができる。  
また、収納部１０１には、放熱のための通風口を設けることができる。
【００２２】
冷却部１０２は、例えば、放熱フィンなどとすることができる。冷却部１０２が放熱フィンである場合には、収納部１０１の内部に外気を導入する送風装置や、収納部１０１の内部の空気を排出する排気装置などを設けることができる。  
この場合、送風装置や排気装置は、収納部１０１に取り付けてもよいし、照明装置１００の外部に設けてもよい。  
送風装置や排気装置を収納部１０１に取り付ける場合には、送風装置や排気装置と、コネクタ１０４とを電気的に接続する配線部材を収納部１０１の内部に設けることができる。
また、冷却部１０２は、例えば、水冷チラーなどの液冷装置としてもよい。  
液冷装置は、例えば、アルミニウム合金などからなり、内部に冷媒が流れる流路が設けられたブロック材などとすることができる。
【００２３】
コネクタ１０３は、発光モジュール１への電力供給のための接続手段とすることができる。  
コネクタ１０３には、配線部材１１０を介して、接続部１０５が電気的に接続されている。  
また、収納部１０１の外部において、コネクタ１０３には、外部電源が電気的に接続される。  
コネクタ１０３は、収納部１０１の外側に設けることもできるし、コネクタ１０３を収納部１０１の内部に設けて外部電源との接続部分を収納部１０１の外側に露出させるようにすることもできる。
【００２４】
コネクタ１０４は、冷却部１０２への電力供給あるいは冷媒供給のための接続手段とすることができる。  
冷却部１０２として送風装置や排気装置などの電気機械が設けられる場合には、コネクタ１０４には、配線部材を介して、送風装置や排気装置などが電気的に接続される。また、収納部１０１の外部において、コネクタ１０４には、外部電源が電気的に接続される。
冷却部１０２として液冷装置が設けられる場合には、コネクタ１０４には、配管部材を介して、液冷装置が接続される。また、収納部１０１の外部において、コネクタ１０４には、送液装置などが接続される。
【００２５】
接続部１０５は、収納部１０１の内部に設けられている。  
接続部１０５は、発光モジュール１の給電端子５と対峙する位置に設けられている。  
接続部１０５は、弾性力を利用して、給電端子５の挿入部５ａを保持するとともに発光モジュール１を冷却部１０２側に押し付ける。
【００２６】
図３（ａ）〜（ｃ）は、給電端子５と接続部１０５を例示するための模式図である。  
なお、図３（ａ）は、図１におけるＢ部の模式拡大図である。  
図３（ｂ）は、図３（ａ）におけるＣ−Ｃ線矢視図である。  
図３（ｃ）は、発光モジュール１の取り付けまたは取り外しを例示するための模式図である。
【００２７】
図３（ａ）〜（ｃ）に示すように、給電端子５は、収納部１０１の内部に突出している。
給電端子５は、挿入部５ａ、凹部５ｂ、および、基部５ｃを有する。  
挿入部５ａは、給電端子５の先端（突出端）に設けられている。挿入部５ａの先端は、半球状またはテーパ状となっている。
【００２８】
凹部５ｂは、給電端子５の先端近傍であって、挿入部５ａと基部５ｃの間に設けられている。凹部５ｂの軸方向に直交する方向における断面寸法は、挿入部５ａの軸方向に直交する方向における断面寸法よりも短い。すなわち、凹部５ｂは、給電端子５の先端近傍であって、挿入部５ａの基部５ｃ側（基板２側）に設けられた窪みである。  
基部５ｃの一方の端部は凹部５ｂに接続され、基部５ｃの他方の端部はソケット４の内部に設けられている。
【００２９】
接続部１０５は、収納部１０１の内部に設けられている。  
接続部１０５は、配線部材１０１およびコネクタ１０３を介して外部電源と電気的に接続される。  
接続部１０５は、板状を呈し、導電性と弾性を有する。例えば、接続部１０５は、金属製の板バネとすることができる。  
接続部１０５は、接触部１０５ａ、保持部１０５ｂ、および基部１０５ｃを有する。  
接触部１０５ａ、保持部１０５ｂ、および基部１０５ｃは、一体に形成することができる。  
接触部１０５ａは、凹状を呈し、接触部１０５ａの内部に挿入された挿入部５ａと接触する。この場合、接触部１０５ａは、挿入部５ａの一部分と接触していればよい。  
保持部１０５ｂは、接触部１０５ａの両側の端部のそれぞれに接続されている。  
保持部１０５ｂは、凹部５ｂの内部に入り込み、少なくとも挿入部５ａの凹部５ｂ側の端部に接触する。保持部１０５ｂは、給電端子５の挿入部５ａを保持する。  
基部１０５ｃは、２つの保持部１０５ｂの端部のそれぞれに接続されている。  
基部１０５ｃは、一端側が収納部１０１に固定され、他端が収納部１０１の内部に位置している。基部１０５ｃの他端側は、収納部１０１の内壁から離れるに従い給電端子５に近づく方向に傾斜している。  
接続部１０５の両端は固定されており、接続部１０５は、両持ちの板バネ構造を有している。
【００３０】
接触部１０５ａの内部に挿入部５ａが挿入された際には、基部１０５ｃの弾性力により、給電端子５が収納部１０１の内部に向けて押し出される。  
そのため、接続部１０５は、弾性力を利用して、給電端子５の挿入部５ａを保持するとともに発光モジュール１を冷却部１０２側に押し付けることができる。
【００３１】
次に、発光モジュール１の着脱について説明する。  
図３（ｃ）に示すように、発光モジュール１を収納部１０１に取り付ける際には、発光モジュール１に設けられた給電端子５を収納部１０１の内部に挿入する。  
給電端子５の挿入部５ａは、接触部１０５ａを押し拡げるようにして接触部１０５ａの内部に挿入される。  
すると、基部１０５ｃの弾性力により、給電端子５が収納部１０１の内部に向けて押し出される。  
そのため、図３（ａ）に示すように、発光モジュール１が冷却部１０２側に押し付けられる。
【００３２】
発光モジュール１を収納部１０１から取り外す際には、発光モジュール１を収納部１０１から引き剥がすように引っ張る。  
すると、図３（ｃ）に示すように、給電端子５の挿入部５ａは、接触部１０５ａを押し拡げるようにして接触部１０５ａの内部から取り出される。  
以上の様にして、発光モジュール１の着脱を行うことができる。  
本実施の形態によれば、発光モジュール１と収納部１０１（冷却部１０２）との密着性、および発光モジュール１の脱着性を向上させることができる。
【００３３】
図４（ａ）〜（ｃ）は、他の実施形態に係る接続部１１５を例示するための模式図である。  
なお、図４（ａ）は、図３（ａ）に相当する。  
図４（ｂ）は、図４（ａ）におけるＤ−Ｄ線矢視図である。  
図４（ｃ）は、発光モジュール１の取り付けまたは取り外しを例示するための模式図である。
【００３４】
接続部１１５は、板状を呈し、導電性と弾性を有する。例えば、接続部１１５は、金属製の板バネとすることができる。  
また、図４（ｂ）に示すように、接続部１１５は、給電端子５が挿入される位置を囲むようにして４つ設けられている。
【００３５】
図４（ａ）〜（ｃ）に示すように、接続部１１５は、接触部１１５ａ、保持部１１５ｂ、および基部１１５ｃを有する。  
接触部１１５ａ、保持部１１５ｂ、および基部１１５ｃは、一体に形成することができる。  
接続部１１５の一方の端部は固定されておらず、接続部１１５は、片持ちの板バネ構造を有している。
【００３６】
接触部１１５ａ、屈曲した形状を有し、挿入部５ａと接触する。この場合、接触部１１５ａは、挿入部５ａの一部分と接触していればよい。  
接触部１１５ａの一方の端部は自由端となっており、他方の端部には保持部１１５ｂが接続されている。  
保持部１１５ｂは、凹部５ｂの内部に入り込み、少なくとも挿入部５ａの凹部５ｂ側の端部に接触する。保持部１１５ｂは、給電端子５の挿入部５ａを保持する。  
基部１１５ｃは、保持部１１５ｂの接触部１１５ａが接続される側とは反対側に接続されている。  
基部１１５ｃは、一端側が収納部１０１に固定され、他端が収納部１０１の内部に位置している。基部１１５ｃの他端側は、収納部１０１の内壁から離れるに従い給電端子５に近づく方向に傾斜している。
【００３７】
４つの接触部１１５ａにより囲まれた領域の内部に挿入部５ａが挿入された際には、基部１１５ｃの弾性力により、給電端子５が収納部１０１の内部に向けて押し出される。  
そのため、接続部１１５は、弾性力を利用して、給電端子５の挿入部５ａを保持するとともに発光モジュール１を冷却部１０２側に押し付けることができる。  
なお、互いに対峙する一対の接続部１１５を２組設ける場合を例示したが、互いに対峙する一対の接続部１１５を１組あるいは３組以上設けるようにしてもよい。
【００３８】
次に、発光モジュール１の着脱について説明する。  
図４（ｃ）に示すように、発光モジュール１を収納部１０１に取り付ける際には、発光モジュール１に設けられた給電端子５を収納部１０１の内部に挿入する。  
給電端子５の挿入部５ａは、接続部１１５を撓ませるようにして接触部１１５ａの位置に挿入される。  
すると、基部１１５ｃの弾性力により、給電端子５が収納部１０１の内部に向けて押し出される。  
そのため、図４（ａ）に示すように、発光モジュール１が冷却部１０２側に押し付けられる。
【００３９】
発光モジュール１を収納部１０１から取り外す際には、発光モジュール１を収納部１０１から引き剥がすように引っ張る。  
すると、図４（ｃ）に示すように、給電端子５の挿入部５ａは、接続部１１５を撓ませるようにして接触部１１５ａの位置から取り出される。  
以上の様にして、発光モジュール１の着脱を行うことができる。  
本実施の形態によれば、発光モジュール１と収納部１０１（冷却部１０２）との密着性、および発光モジュール１の脱着性を向上させることができる。
【００４０】
図５（ａ）、（ｂ）は、他の実施形態に係る給電端子１５を例示するための模式図である。
なお、図５（ｂ）は、図５（ａ）におけるＥ−Ｅ線矢視図である。  
図５（ａ）、（ｂ）に示すように、給電端子１５は、挿入部１５ａ、および凹部１５ｂを有する。  
挿入部１５ａは、給電端子１５の先端（突出端）に設けられている。挿入部１５ａは円板状を呈している。  
凹部１５ｂの一方の端部は挿入部１５ａと接続され、凹部１５ｂの他方の端部はソケット４の内部に設けられている。
【００４１】
凹部１５ｂの軸方向に直交する方向における断面寸法は、挿入部１５ａの軸方向に直交する方向における断面寸法よりも短い。
【００４２】
本実施の形態に係る給電端子１５も、前述した給電端子５と同様の機能を有している。  例えば、４つの接触部１１５ａにより囲まれた領域の内部に挿入部１５ａが挿入された際には、基部１１５ｃの弾性力により、給電端子１５が収納部１０１の内部に向けて押し出される。  
そのため、接続部１１５は、弾性力を利用して、給電端子１５の挿入部１５ａを保持するとともに発光モジュール１を冷却部１０２側に押し付けることができる。
【００４３】
図６（ａ）、（ｂ）は、他の実施形態に係る給電端子２５を例示するための模式図である。
なお、図６（ｂ）は、図６（ａ）におけるＦ−Ｆ線矢視図である。  
図６（ａ）、（ｂ）に示すように、給電端子２５は、挿入部２５ａ、および凹部２５ｂを有する。  
挿入部２５ａは、給電端子２５の先端（突出端）に設けられている。挿入部２５ａは円錐台状を呈している。  
凹部２５ｂの一方の端部は挿入部２５ａと接続され、凹部２５ｂの他方の端部はソケット４の内部に設けられている。
【００４４】
凹部２５ｂの軸方向に直交する方向における断面寸法は、挿入部２５ａの軸方向に直交する方向における断面寸法の最大値よりも短い。
【００４５】
本実施の形態に係る給電端子２５も、前述した給電端子５と同様の機能を有している。  例えば、接触部１０５ａの内部に挿入部２５ａが挿入された際には、基部１０５ｃの弾性力により、給電端子２５が収納部１０１の内部に向けて押し出される。  
そのため、接続部１０５は、弾性力を利用して、給電端子２５の挿入部２５ａを保持するとともに発光モジュール１を冷却部１０２側に押し付けることができる。
【００４６】
図７（ａ）、（ｂ）は、他の実施形態に係る給電端子３５を例示するための模式図である。
図７（ｂ）は、図７（ａ）におけるＧ−Ｇ線断面図である。  
図７（ａ）、（ｂ）に示すように、給電端子３５は、挿入部１５ａ、凹部１５ｂ、および突出部３５ａを有する。  
突出部３５ａは、挿入部１５ａを挟んで、凹部１５ｂと対峙している。  
本実施の形態に係る給電端子３５も、前述した給電端子１５と同様に、挿入部１５ａおよび凹部１５ｂを有しているので、給電端子１５と同様の機能を有している。  
そのため、接続部１２５は、弾性力を利用して、給電端子３５の挿入部１５ａを保持するとともに発光モジュール１を冷却部１０２側に押し付けることができる（図９を参照）。
【００４７】
図８（ａ）、（ｂ）は、他の実施形態に係る給電端子４５を例示するための模式図である。
図８（ｂ）は、図８（ａ）におけるＨ−Ｈ線断面図である。
図８（ａ）、（ｂ）に示すように、給電端子４５は、挿入部４５ａ、凹部１５ｂ、および突出部３５ａを有する。  
挿入部４５ａは、平面視において、複数の凸部を有する。この場合、挿入部４５ａは、平面視において、回転対称となる形態を有したものとすることができる。  
挿入部４５ａは、挿入部１５ａと同様の機能を有している。  
本実施の形態に係る給電端子４５も、挿入部４５ａおよび凹部１５ｂを有しているので、給電端子１５と同様の機能を有している。  
そのため、接続部１２５は、弾性力を利用して、給電端子４５の挿入部４５ａを保持するとともに発光モジュール１を冷却部１０２側に押し付けることができる。
なお、給電端子の形態は、以上に例示をしたものに限定されるわけではない。給電端子の形態は、接続部により保持されるとともに発光モジュール１を冷却部１０２側に押し付けることができるものであればよい。
【００４８】
図９は、給電端子３５と接続部１２５を例示するための模式図である。  
図９に示すように、接続部１２５は、接触部１２５ａ、保持部１２５ｂ、および基部１２５ｃを有する。  
この場合、接触部１２５ａは、接触部１０５ａと同様とすることができる。  
保持部１２５ｂは、保持部１０５ｂと同様とすることができる。
基部１２５ｃは、基部１０５ｃと同様とすることができる。
そのため、本実施の形態に係る接続部１２５も、接続部１０５と同様の機能を有している。  
接触部１２５ａの内部に挿入部１５ａが挿入された際には、基部１２５ｃの弾性力により、給電端子３５が収納部１０１の内部に向けて押し出される。  
そのため、接続部１２５は、弾性力を利用して、給電端子３５の挿入部１５ａを保持するとともに発光モジュール１を冷却部１０２側に押し付けることができる。
なお、接続部の形態は、以上に例示をしたものに限定されるわけではない。接続部の形態は、弾性力を利用して、給電端子の挿入部を保持するとともに発光モジュール１を冷却部１０２側に押し付けることができるものであればよい。
【００４９】
図１０（ａ）、（ｂ）は、他の実施形態に係る発光モジュール１１を例示するための模式図である。  
なお、図１０（ｂ）は、図１０（ａ）におけるＩ−Ｉ線矢視図である。  
図１０（ａ）、（ｂ）に示すように、発光モジュール１１には、基板２、発光素子３、および給電端子５が設けられている。  
すなわち、発光モジュール１１には、ソケット４が設けられておらず、給電端子５は基板２に保持されている。
【００５０】
図１１（ａ）、（ｂ）は、保持具１２０を例示するための模式図である。  
なお、図１１（ｂ）は、図１１（ａ）におけるＪ−Ｊ線矢視図である。  
図１１（ａ）、（ｂ）に示すように、保持具１２０は、基部１２０ａおよびねじ部１２０ｂを有する。  
基部１２０ａは、Ｌ字状を呈し、一方の端部が収納部１０１に固定されている。基部１２０ａの他方の端部は、平面視において、基板２の内側にある。  
基部１２０ａの他方の端部の近傍には、ねじ部１２０ｂがねじ込まれる雌ねじが設けられている。雌ねじに位置は、平面視において、基板２の内側にある。  
ねじ部１２０ｂは、基部１２０ａの雌ねじにねじ込まれる雄ねじである。
【００５１】
発光モジュール１を収納部１０１に取り付ける際には、発光モジュール１に設けられた給電端子５を収納部１０１の内部に挿入する。  
前述したように、発光モジュール１は、接続部１０５、１１５の作用により、冷却部１０２側に押し付けられる。  
その後、ねじ部１２０ｂにより、発光モジュール１を冷却部１０２側にさらに押し付ける。  
この様にすれば、密着性をさらに向上させることができる。
【００５２】
発光モジュール１を収納部１０１から取り外す際には、ねじ部１２０ｂを発光モジュール１から離隔させる。  
次に、発光モジュール１を収納部１０１から引き剥がすように引っ張る。  
すると、前述したようにして、給電端子５が接続部１０５、１１５から解放される。  
以上の様にして、発光モジュール１の着脱を行うことができる。
【００５３】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５４】
１  発光モジュール、２  基板、３  発光素子、４  ソケット、５  給電端子、５ａ  挿入部、５ｂ  凹部、５ｃ  基部、１５  給電端子、１５ａ  挿入部、１５ｂ  凹部、２５  給電端子、２５ａ  挿入部、２５ｂ  凹部、３５  給電端子、３５ａ  突出部、４５  給電端子、４５ａ  挿入部、１００  照明装置、１０１  収納部、１０２  冷却部、１０３  コネクタ、１０４  コネクタ、１０５  接続部、１０５ａ  接触部、１０５ｂ  保持部、１０５ｃ  基部、１１５  接続部、１１５ａ  接触部、１１５ｂ  保持部、１１５ｃ  基部、１２５  接続部、１２５ａ  接触部、１２５ｂ  保持部、１２５ｃ  基部
【図１】
0006519268.tif 000002
【図２】
0006519268.tif 000003
【図３】
0006519268.tif 000004
【図４】
0006519268.tif 000005
【図５】
0006519268.tif 000006
【図６】
0006519268.tif 000007
【図７】
0006519268.tif 000008
【図８】
0006519268.tif 000009
【図９】
0006519268.tif 000010
【図１０】
0006519268.tif 000011
【図１１】
0006519268.tif 000012